(57)【特許請求の範囲】
【請求項１】
流体が収容されるパック胴体と、
前記パック胴体に装着されており、前記パック胴体の内部を外部と連結する吐出口を有するプラグと、
前記パック胴体の内部に配置されており、前記吐出口を塞ぐ蓋と、
前記パック胴体の内部に配置されており、前記蓋が前記吐出口を塞ぐように弾性力を与える弾性部と、
を備え、
前記弾性部は、薄板状の加圧部材によって前記弾性力を与える、パック。
【請求項２】
前記プラグの一側に装着され、前記吐出口を開放する方向に前記蓋を押し、内部を貫通した通路を有する連結部をさらに備える、請求項１に記載のパック。
【請求項３】
前記プラグは、
前記パック胴体の内部に固定されているプラグ胴体と、
前記プラグ胴体の一面の周縁に互いに離れて形成されており、前記弾性部を固定する複数の固定部材と、
前記プラグ胴体の他面に形成されており、前記パック胴体の外部に突出してある結合部材と、
を備える、請求項２に記載のパック。
【請求項４】
前記弾性部は、
前記固定部材に固定されており、排水孔が形成されている固定胴体と、
前記排水孔の中央に配置されており、前記蓋を前記吐出口に加圧する加圧部材と、
前記加圧部材と前記固定胴体とを連結し、前記加圧部材に弾性力を与える複数の弾性リブと、
を備える、請求項３に記載のパック。
【請求項５】
前記連結部は、
前記結合部材に分離可能に結合される連結胴体と、
前記連結胴体の一面に形成されており、前記吐出口の内部に挿入されて前記蓋を押して前記吐出口を開放させる挿入部材と、
前記連結胴体の他面に形成されており、排水ラインが結合されるように構成された連結部材と、
を備え、
前記通路は、前記挿入部材、前記連結胴体及び前記連結部材の内部を貫通し、
前記挿入部材の周面には前記通路と連通する少なくとも一つの流入孔が形成されている、請求項３に記載のパック。
【請求項６】
前記挿入部材と前記吐出口の周面との間に配置されたパッキングをさらに備える、請求項５に記載のパック。
【請求項７】
前記結合部材の外周面の一部分には、円周方向に沿ってガイド溝が形成されており、
前記連結胴体には、前記ガイド溝に結合される装着部材が形成されており、
前記装着部材が前記ガイド溝に結合されながら前記連結部が前記プラグに分離可能に装着される、請求項５に記載のパック。
【請求項８】
前記装着部材は、
前記連結胴体から垂直に形成された装着胴体と、
前記装着胴体の一面から垂直に突出されて前記ガイド溝に挿入されるガイド突起と、
を備える、請求項７に記載のパック。
【請求項９】
前記蓋は、一側から他側に向かって縮径しており、前記蓋が接する前記吐出口の少なくとも一部分は前記蓋に対応する、請求項１に記載のパック。
【請求項１０】
流体が収容されるパック胴体と、
前記パック胴体の内部面に装着されており、一側が前記パック胴体の外部に突出しており、内部を貫通した吐出口を有するプラグと、
前記プラグの他側に装着されており、前記吐出口を塞いでいる遮断膜と、
前記プラグの一側に装着され、前記遮断膜を裂く役割を果たす連結部と、
を備え、
前記連結部は、先端に刃を有する、パック。
【請求項１１】
前記プラグは、
前記パック胴体の内部に固定されているプラグ胴体と、
前記プラグ胴体の他面に形成されており、前記パック胴体の外部に突出してある結合部材と、
を備える、請求項１０に記載のパック。
【請求項１２】
前記連結部は、
前記結合部材に分離可能に結合される連結胴体と、
前記連結胴体の一面に形成されており、前記吐出口の内部に挿入されて前記遮断膜を裂く挿入部材と、
前記挿入部材と前記吐出口の周面との間に配置されたパッキングと、
前記連結胴体の他面に形成されており、排水ラインが結合されるように構成された連結部材と、
を備える、請求項１１に記載のパック。
【請求項１３】
前記結合部材の外周面の一部分には、円周方向に沿ってガイド溝が形成されており、
前記連結胴体には、前記ガイド溝に結合される装着部材が形成されており、
前記装着部材が前記ガイド溝に結合されながら前記連結部が前記プラグに分離可能に装着される、請求項１２に記載のパック。
【発明の詳細な説明】
【技術分野】
【０００１】
本発明は、パックに関する。
【背景技術】
【０００２】
現在使われているミネラルウォーター容器は再使用する容器で、使用済みの容器を回収して洗浄後にミネラルウォーターを入れて再び供給する。
【０００３】
このような容器の内、外部の洗浄のための洗浄用水の使用や殺菌のための薬品の使用は、２次汚染物質の発生につながることがある。なお、容器内部の洗浄に使われる蒸気または温水が容器の内面に直接噴射されながら、高温により容器が溶けたり有害物質が発生したりすることもある。
【０００４】
また、容器と蓋との密閉度の低下により、漏水現象や外部から容器内への汚染物質の侵入が起こるなど、衛生上の危害要素が常在している。
【０００５】
一方、一般的に使用しているミネラルウォーター容器と冷温水器とは一定の圧力を保持しながら、ミネラルウォーター容器中の水が冷温水器に供給される。このミネラルウォーター容器は圧力に耐えるように肉厚に形成しなければならず、その製造原価が上昇する問題があった。
【発明の概要】
【発明が解決しようとする課題】
【０００６】
本発明は、原価を節減でき、洗浄による問題を解決でき、且つ外部からの汚染物質の侵入を防止できるパックを提供する。
【課題を解決するための手段】
【０００７】
本発明の一実施例に係るパックは、流体が収容されるパック胴体と、前記パック胴体の内部面に装着されており、一部分が前記パック胴体の外部に突出しており、内部を貫通した吐出口を有するプラグと、前記プラグの他側に位置しており、前記吐出口を塞ぐ蓋と、前記プラグの他側に装着されており、前記吐出口を塞ぐ方向に前記蓋に弾性力を与える弾性部と、を備える。
【０００８】
前記パックは、前記プラグの一側に装着され、前記吐出口を開放する方向に前記蓋を押し、内部を貫通した通路を有する連結部をさらに備えることができる。
【０００９】
前記プラグは、前記パック胴体の内部に固定されているプラグ胴体、前記プラグ胴体の一面の周縁に互いに離れて形成されており、前記弾性部を固定する複数の固定部材と、前記プラグ胴体の他面に形成されており、前記パック胴体の外部に突出してある結合部材と、を備えることができる。
【００１０】
前記弾性部は、前記固定部材に固定されており、排水孔が形成されている固定胴体と、前記排水孔の中央に位置しており、前記蓋を前記吐出口に加圧する加圧部材と、前記加圧部材と前記固定胴体とを連結し、前記加圧部材に弾性力を与える複数の弾性リブと、を備えることができる。
【００１１】
前記連結部は、前記結合部材に分離可能に結合される連結胴体と、前記連結胴体の一面に形成されており、前記吐出口の内部に挿入されて前記蓋を押して前記吐出口を開放させる挿入部材と、前記連結胴体の他面に形成されており、排水ラインが結合されるように構成された連結部材と、を備え、前記通路は、前記挿入部材、前記連結胴体及び前記連結部材の内部を貫通し、前記挿入部材の周面には、前記通路と連通する少なくとも一つの流入孔が形成されているとよい。
【００１２】
前記連結部は、前記挿入部材と前記吐出口の周面との間に配置されたパッキングをさらに備えることができる。
【００１３】
前記結合部材の外周面の一部分には、円周方向に沿ってガイド溝が形成されており、前記連結胴体には、前記ガイド溝に結合される装着部材が形成されており、前記装着部材が前記ガイド溝に結合されながら前記連結部が前記プラグに分離可能に装着されるとよい。
【００１４】
前記装着部材は、前記連結胴体から垂直に形成された装着胴体と、前記装着胴体の一面から垂直に突出されており、前記ガイド溝に挿入されるガイド突起と、を備えることができる。
【００１５】
前記蓋は、一側から他側に向かって縮径しており、前記蓋が接する前記吐出口の少なくとも一部分は前記蓋に対応するとよい。
【００１６】
本発明の他の実施例に係るパックは、流体が収容されるパック胴体と、前記パック胴体の内部面に装着されており、一部分が前記パック胴体の外部に突出しており、内部を貫通した吐出口を有するプラグと、前記プラグの他側に装着されており、前記吐出口を塞いでいる遮断膜と、前記プラグの一側に装着されており、前記遮断膜を裂く役割を果たす連結部と、を備えることができる。
【００１７】
前記プラグは、前記パック胴体の内部に固定されているプラグ胴体と、前記プラグ胴体の他面に形成されており、前記パック胴体の外部に突出してある結合部材と、を備えることができる。
【００１８】
前記連結部は、前記結合部材に分離可能に結合される連結胴体と、前記連結胴体の一面に形成されており、前記吐出口の内部に挿入されて前記遮断膜を裂く挿入部材と、前記挿入部材と前記吐出口の周面との間に配置されたパッキングと、前記連結胴体の他面に形成されており、排水ラインが結合されるように構成された連結部材と、を備えることができる。
【００１９】
前記結合部材の外周面の一部分には、円周方向に沿ってガイド溝が形成されており、前記連結胴体には、前記ガイド溝に結合される装着部材が形成されており、該装着部材が前記ガイド溝に結合されながら前記連結部が前記プラグに分離可能に装着されるとよい。
【発明の効果】
【００２０】
本発明の実施例によれば、弾性部の弾性力により蓋が吐出口に密着されるため、パック胴体に収容された流体が外部に漏れなく、且つ、汚染物質がパック胴体の内部に流入することがないため、衛生的である。
【００２１】
本発明の実施例によれば、使い捨てのパック胴体を使用することによって、容器洗浄による費用を節減でき、かつ容器洗浄時の洗剤による環境汚染を予防することができる。
【００２２】
本発明の実施例によれば、使い捨ての滅菌処理されたパック胴体を使用することによって、細菌が繁殖されず、衛生的である。
【図面の簡単な説明】
【００２３】
【図１】本発明の一実施例に係るパックを示す斜視図である。
【図２】図１のパックを分離した分解斜視図である。
【図３】図２におけるプラグと連結部との結合状態を示す分解斜視図である。
【図４】図１に示すパックの主要部の半断面斜視図である。
【図５】プラグに連結部が結合される状態を示す使用状態図である。
【図６】プラグに連結部が結合される状態を示す使用状態図である。
【図７】本発明の他の実施例に係るパックを示す分解斜視図である。
【図８】図７におけるプラグと連結部との結合状態を示す分解斜視図である。
【図９】図７に示すパックの主要部の半断面斜視図である。
【図１０】プラグに連結部が結合される状態を示す使用状態図である。
【図１１】プラグに連結部が結合される状態を示す使用状態図である。
【発明を実施するための形態】
【００２４】
以下、本発明の属する技術の分野における通常の知識を有する者が容易に実施できるように本発明の実施例について添付の図面を参照して詳細に説明する。ただし、本発明は様々な形態に具現することができ、ここに説明される実施例に限定されない。明細書全体を通じて類似の部分には同一の図面符号を付する。
【００２５】
以下、本発明の一実施例に係るパックについて、図１乃至図４を参照して説明する。
【００２６】
図１は、本発明の一実施例に係るパックを示す斜視図であり、図２は、図１に示すパックを分離した分解斜視図であり、図３は、図２におけるプラグと連結部との結合状態を示す分解斜視図であり、図４は、図１に示すパックの主要部の半断面斜視図である。
【００２７】
図１乃至図４を参照すると、本実施例に係るパック１は、パック胴体１０、プラグ２０、蓋４０、弾性部３０、及び連結部５０を備える。
【００２８】
パック胴体１０は、内部に流体を収容することができる。パック胴体１０は、薄いビニールなどで作ることができる。このパック胴体１０の内部を滅菌処理して、パック胴体１０に細菌が繁殖することを予防することができる。パック胴体１０には有害光線を遮断する遮断膜（図示せず）を形成することができる。遮断膜は、有害光線により流体が変質することを防止する。パック胴体１０には、プラグ２０が装着される装着孔１１が形成されている。
【００２９】
プラグ２０は、プラグ胴体２２、固定部材２３、及び結合部材２４を備え、且つ流体が出入する吐出口２１が形成されている。吐出口２１は、プラグ胴体２２と結合部材２４の中央部を貫通する。
【００３０】
プラグ胴体２２はパック胴体１０の内部面に装着されているが、パック胴体１０の外部面に装着されてもよい。プラグ胴体２２は流体に接触することがあるから、滅菌処理されるとよい。
【００３１】
固定部材２３は、プラグ胴体２２の一面の周縁部に互いに離れて複数個形成される。これらの固定部材２３はプラグ胴体２２と垂直に形成されている。固定部材２３の先端には、弾性部３０を固定する係止突部２３１が形成されている。
【００３２】
結合部材２４はプラグ胴体２２の他面に形成されており、装着孔１１を貫通してパック胴体１０の外部に突出してある。結合部材２４の外周面には円周方向に沿ってガイド溝２４１が形成されている。ガイド溝２４１は、“¬”状に形成されている。しかし、ガイド溝２４１は、様々な形状にすることができ、例えば、螺旋状に形成することもできる。
【００３３】
蓋４０はパック胴体１０の内部に位置して吐出口２１を塞ぐ。蓋４０はゴムなどで作ることができる。そのため、蓋４０は弾力性及び伸縮性に富んでいる。蓋４０は、一側から他側に向かって縮径しており、縮径した部分を吐出口２１にはめ込めばよい。蓋４０が吐出口２１にはまり込みながら、パック胴体１０の内部にある流体が吐出口２１から外部に排出されなくなる一方で、外部の異物なども吐出口２１を通ってパック胴体１０の内部に流入しなくなる。
【００３４】
弾性部３０は、蓋４０に弾性力を与えるためのもので、固定胴体３１、加圧部材３３、及び弾性リブ３２を有する。
【００３５】
固定胴体３１はリング状に形成されており、プラグ胴体２２の一面に密着されている。一面に密着された固定胴体３１は係止突部２３１に掛け止められて固定胴体３１に強固に固定される。固定胴体３１の中央部には、流体が通る排水孔３１１が形成されている。
【００３６】
加圧部材３３は排水孔３１１の中央に配置されて蓋４０と相対する。加圧部材３３は、蓋４０が吐出口２１の内周面に密着されるように蓋４０を加圧する。加圧部材３３は蓋４０と一体に形成されてもよい。
【００３７】
弾性リブ３２は排水孔３１１に配置され、円周方向に沿って複数個配列されている。弾性リブ３２は、固定胴体３１と加圧部材３３とを連結する。弾性リブ３２は、加圧部材３３に弾性力を与えて、加圧部材３３が蓋４０を加圧できるようにする。この弾性リブ３２の弾性力によって蓋４０を吐出口２１の内周面に密着することができる。
【００３８】
連結部５０はプラグ２０に装着されている。連結部５０は、蓋４０を吐出口２１の内周面から離れさせる。連結部５０の中央部には、蓋４０が吐出口２１から離れると流体が通る通路５１が形成されている。連結部５０は、連結胴体５３、挿入部材５２、及び連結部材５５を備える。
【００３９】
連結胴体５３は、円板状に形成されており、一面には、互いに離れて複数の装着部材５４が形成されている。装着部材５４は、装着胴体５４１及びガイド突起５４２を備える。装着胴体５４１は、連結胴体５３から垂直に突出してある。これに限定されず、装着胴体５４１は、連結胴体５３の円周方向に沿って突条状に形成されてもよい。ガイド突起５４２は、装着胴体５４１の内側面から垂直に突出しており、ガイド溝２４１に挿入可能である。ガイド突起５４２がガイド溝２４１に挿入されると、連結胴体５３は結合部材２４の円周方向に沿って回転することができる。この時、ガイド突起５４２がガイド溝２４１の終端に引っ掛かることで、連結胴体５３を結合部材２４に強固に固定することができる。
【００４０】
挿入部材５２は、連結胴体５３の一面の中央に形成されている。挿入部材５２は、連結胴体５３が結合部材２４に結合される際に吐出口２１に挿入されて、その先端が蓋４０に接触することができる。挿入部材５２は蓋４０を加圧して吐出口２１を開放させる。これと同時に、加圧された蓋４０によって弾性リブ３２は吐出口２１から遠ざかる方向に曲がりながら弾性力が発生する。この弾性力は蓋４０に与えられて、連結部５０がプラグ２０から分離されるときに、蓋４０が吐出口２１の内周面に密着されるようにする。
【００４１】
吐出口２１が開放されると、パック胴体１０の内部にある流体が挿入部材５２の外周面に接触することができる。この時、流体が通路５１に流入できるように、挿入部材５２には通路５１と連通する少なくとも一つの流入孔５２１が形成されている。
【００４２】
一方、挿入部材５２の外周面と吐出口２１の内周面との間にはパッキング５６が配置されている。パッキング５６は、パック胴体１０中の流体が挿入部材５２と吐出口２１の内周面との間から漏れることを予防することができる。
【００４３】
連結部材５５は、連結胴体５３の他面の中央に形成されており、通路５１に流入した流体の流れを案内する排水ライン６０と結合することができる。
【００４４】
次に、図５及び図６を参照して、上述したパックの作用について説明する。
【００４５】
図５は、プラグに連結部が結合される状態を示す断面図であり、図６は、連結部が蓋を加圧する状態を示す断面図である。
【００４６】
まず、図５を参照すると、弾性部３０の弾性力により加圧部材３３が蓋４０を加圧している。加圧された蓋４０は、吐出口２１の内周面に密着されて吐出口２１を塞いでいる。すなわち、ゴムなどで形成された蓋４０は、弾性部３０の弾性力により吐出口２１の内部面に圧着されており、蓋４０と吐出口２１内周面との間にはスキ間ができない。こうなると、吐出口２１が塞がり、パック胴体１０に収容されている流体が漏れない。
【００４７】
次に、図６を参照すると、連結部５０のガイド突起５４２をガイド溝２４１に結合した後、連結胴体５３を第１の方向に回すと、連結胴体５３が結合部材２４の円周方向に沿って回転しながらガイド突起５４２がガイド溝２４１の終端に引っ掛かって固定される。
【００４８】
これと同時に、連結胴体５３が結合部材２４に沿って回転する時に挿入部材５２の先端が蓋４０に接触する。挿入部材５２は、蓋４０を吐出口２１から遠ざかる方向に加圧する。加圧された蓋４０は吐出口２１の内周面から離れる。この時、弾性部３０には、蓋４０を吐出口２１に移動させるための弾性力が発生する。
【００４９】
蓋４０が吐出口２１から離れると、パック胴体１０に収容されている流体は、流入孔５２１から通路５１に流入し、排水ライン６０に沿って移動する。一方、蓋４０が吐出口２１から離れると、パック胴体１０の内部に流体を注入することもできる。
【００５０】
このとき、挿入部材５２の外周面に装着されたパッキング５６により、パック胴体１０に収容されている流体が挿入部材５２と吐出口２１の内周面との間から漏れることがない。
【００５１】
一方、連結部５０をプラグ２０から分離すると、弾性部３０の弾性力により蓋４０が吐出口２１に移動して吐出口２１の内周面に密着されて、吐出口２１を再び塞ぐことができる。
【００５２】
次に、本発明の他の実施例に係るパックについて、図７乃至図１１を参照して説明する。
【００５３】
図７は、本発明の他の実施例に係るパックを示す分解斜視図であり、図８は、図７におけるプラグと連結部との結合状態を示す分解斜視図であり、図９は、図７に示すパックの主要部の半断面斜視図であり、図１０及び図１１は、プラグに連結部が結合される状態を示す使用状態図である。
【００５４】
図７乃至図１１を参照すると、本実施例に係るパック２は、パック胴体１０、プラグ２０、及び連結部５０を備える。
【００５５】
本実施例に係るパック胴体１０は、図１乃至図６に示す実施例と略同様の構造を有する。すなわち、パック胴体１０は、内部に流体を収容することができ、一側には装着孔１１が形成されている。
【００５６】
ただし、本実施例に係るプラグ２０、連結部５０の構造は、図１乃至図６に示すパックと異なる構造を有する。
【００５７】
プラグ２０は、流体が出入する吐出口２１が形成されており、プラグ胴体２２及び結合部材２４を備える。吐出口２１は、プラグ胴体２２と結合部材２４の中央部を貫通する。
【００５８】
プラグ胴体２２はパック胴体１０の内部面に装着されているが、パック胴体１０の外部面に装着されてもよい。プラグ胴体２２の一面には、吐出口２１を塞ぐ遮断膜２２１が形成されている。遮断膜２２１は、薄膜の形態に形成されて、裂けることが可能になっている。遮断膜２２１はビニールなどで作ることができる。
【００５９】
結合部材２４は、プラグ胴体２２の他面に形成されており、装着孔１１を貫通してパック胴体１０の外部に突出してある。結合部材２４の外周面には円周方向に沿ってガイド溝２４１が形成されている。
【００６０】
連結部５０は、プラグ２０に装着されて遮断膜２２１を裂く。連結部５０の中央部には、流体が通る通路５１が形成されている。連結部５０は、連結胴体５３、挿入部材５２、及び連結部材５５を備える。
【００６１】
連結胴体５３は、円板状に形成されており、一面には、互いに離れて複数の装着部材５４が形成されている。装着部材５４は、装着胴体５４１及びガイド突起５４２を有する。装着胴体５４１は、連結胴体５３から垂直に突出してある。これに限定されず、装着胴体５４１は連結胴体５３の円周方向に沿って突条状に形成されてもよい。ガイド突起５４２は、装着胴体５４１の内側面から垂直に突出しており、ガイド溝２４１に挿入可能である。ガイド突起５４２がガイド溝２４１に挿入されると、連結胴体５３は結合部材２４の円周方向に沿って回転しながら結合部材２４に強固に固定されることが可能である。
【００６２】
図１１に示すように、挿入部材５２は、連結胴体５３の一面の中央に形成されている。挿入部材５２は、吐出口２１に挿入されてその先端が遮断膜２２１に接触することができる。この時、挿入部材５２が遮断膜２２１を裂くことができるように挿入部材５２の先端には刃５２２が形成されているとしたが、挿入部材５２の先端を尖った突起にしてもよい。挿入部材５２が遮断膜２２１を裂くと、挿入部材５２はパック胴体１０の内部に位置しながら吐出口２１が開放され、パック胴体１０中の流体が通路５１に流入可能になる。
【００６３】
一方、挿入部材５２の外周面と吐出口２１の内周面との間にはパッキング５６が配置されている。パッキング５６は、パック胴体１０中の流体が挿入部材５２と吐出口２１の内周面との間から漏れることを予防する。
【００６４】
連結部材５５は、連結胴体５３の他面の中央に形成されており、通路５１に流入した流体の流れを案内する排水ライン６０と結合することができる。
【００６５】
図１乃至図６に示す実施例で説明した種々の特徴を、本実施例に適用することができる。
【００６６】
以上、本発明の好適な実施例について詳細に説明したが、これに本発明の権利範囲が限定されることはく、添付の特許請求の範囲で定義している本発明の基本概念を用いた、当業者による様々な変形及び改良の形態も、本発明の権利範囲に含まれる。
【図１】
0005996529.tif 000002
【図２】
0005996529.tif 000003
【図３】
0005996529.tif 000004
【図４】
0005996529.tif 000005
【図５】
0005996529.tif 000006
【図６】
0005996529.tif 000007
【図７】
0005996529.tif 000008
【図８】
0005996529.tif 000009
【図９】
0005996529.tif 000010
【図１０】
0005996529.tif 000011
【図１１】
0005996529.tif 000012